(57)【要約】【課題】  ブルーレイディスクに単層構造で再生専用領域と記録可能領域を設ける。【解決手段】  光ディスク１００は、片側の信号面にＲＯＭ領域を構成する記録トラック１０１が形成されるとともに、この記録トラック１０１のピット列１０２を接線方向に中断したミラー部１０３が形成されている。ミラー部１０３は、光ディスク１００の記録再生領域上に分散して配置され、各ミラー部１０３の距離は、トラッキングサーボをかけない状態でもスポットがトラック上のピット列を継続してトレースできる範囲内とするために、ブルーレイディスクでは１箇所につき１ｍｍ程度になる。このミラー部１０３を断続的に複数箇所のミラー部１０３を置くことで記録容量を確保することが可能になる。【選択図】        図１
2005216365.tif 000002
【特許請求の範囲】
【請求項１】
ディスク基板の信号面にピット列よりなる再生専用の記録トラックと、前記記録トラックのピット列接線方向に挿入された凹凸の無いミラー部とを設け、前記信号面の上層に前記ミラー部への情報記録を行うための記録膜を設けた、
ことを特徴とする光ディスク。
【請求項２】
前記ミラー部の接線方向長さＬが、記録再生線速度Ｖ、及び規格値によって決定されるトラッキング追従可能高域限界周波数ｆに対して、Ｌ＜Ｖ／ｆの関係を有することを特徴とする請求項１記載の光ディスク。
【請求項３】
前記ミラー部が信号面内に複数存在することを特徴とする請求項１記載の光ディスク。
【請求項４】
前記ミラー部の直前に当該ミラー部の記録再生に関する情報を記録したピット列パターンＰＢが挿入されていることを特徴とする請求項１記載の光ディスク。
【請求項５】
前記ミラー部の直後に当該ミラー部から後続する再生専用の記録トラックへの遷移区間としてピット列パターンＰＥが挿入されていることを特徴とする請求項１記載の光ディスク。
【請求項６】
前記ミラー部に記録装置によって情報を追記することを特徴とする請求項１記載の光ディスク。
【請求項７】
前記ミラー部に情報を記録する際に、記録装置はトラッキングを行わずに情報の記録を行うことを特徴とする請求項１記載の光ディスク。
【請求項８】
前記ミラー部に記録された情報を再生する際に、再生装置はトラッキングを行わずに情報の再生を行うことを特徴とする請求項１記載の光ディスク。
【請求項９】
前記ミラー部に記録された情報を再生する際に、前記ピット列パターンＰＢの情報に基づいて、前記ミラー部におけるトラッキング動作のオンとオフを切り替えることを特徴とする請求項４記載の光ディスク。
【請求項１０】
前記ミラー部に対する情報の記録再生を行う際に、前記ピット列パターンＰＢの情報に基づいて、前記ミラー部における記録再生レーザの発光強度及び発光パターンを切り替えることを特徴とする請求項４記載の光ディスク。
【請求項１１】
光ディスクに対して情報の記録を行う記録部と再生を行う再生部とを有し、
前記光ディスクは、ディスク基板の信号面にピット列よりなる再生専用の記録トラックと、前記記録トラックのピット列接線方向に挿入された凹凸の無いミラー部とを設け、前記信号面の上層に前記ミラー部への情報記録を行うための記録膜を設けて構成され、
前記記録部は前記ミラー部に情報を記録し、前記再生部は前記記録トラック及びミラー部から情報を再生する、
ことを特徴とする光ディスク記録再生装置。
【請求項１２】
前記ミラー部の接線方向長さＬが、記録再生線速度Ｖ、及び規格値によって決定されるトラッキング追従可能高域限界周波数ｆに対して、Ｌ＜Ｖ／ｆの関係を有することを特徴とする請求項１１記載の光ディスク記録再生装置。
【請求項１３】
前記ミラー部が信号面内に複数存在することを特徴とする請求項１１記載の光ディスク記録再生装置。
【請求項１４】
前記ミラー部の直前に当該ミラー部の記録再生に関する情報を記録したピット列パターンＰＢが挿入されていることを特徴とする請求項１１記載の光ディスク記録再生装置。
【請求項１５】
前記ミラー部の直後に当該ミラー部から後続する再生専用の記録トラックへの遷移区間としてピット列パターンＰＥが挿入されていることを特徴とする請求項１１記載の光ディスク記録再生装置。
【請求項１６】
前記ミラー部に記録部によって情報を追記することを特徴とする請求項１１記載の光ディスク記録再生装置。
【請求項１７】
前記ミラー部に情報を記録する際に、記録装置はトラッキングを行わずに情報の記録を行うことを特徴とする請求項１１記載の光ディスク記録再生装置。
【請求項１８】
前記ミラー部に記録された情報を再生する際に、再生装置はトラッキングを行わずに情報の再生を行うことを特徴とする請求項１１記載の光ディスク記録再生装置。
【請求項１９】
前記ミラー部に記録された情報を再生する際に、前記ピット列パターンＰＢの情報に基づいて、前記ミラー部におけるトラッキング動作のオンとオフを切り替えることを特徴とする請求項１４記載の光ディスク記録再生装置。
【請求項２０】
前記ミラー部に対する情報の記録再生を行う際に、前記ピット列パターンＰＢの情報に基づいて、前記ミラー部における記録再生レーザの発光強度及び発光パターンを切り替えることを特徴とする請求項１４記載の光ディスク記録再生装置。
【発明の詳細な説明】
【技術分野】
【０００１】
本発明は、同一記録面内に再生専用領域と記録可能領域を有する光ディスク及び光ディスク記録再生装置に関する。
【背景技術】
【０００２】
従来より、例えば光磁気ディスク等の媒体において、同一記録面内に再生専用領域と記録可能領域を有するものが提案されている（例えば特許文献１参照）。
また近年は、主に映像を中心とする大容量データのストレージ用途としてＤＶＤの普及が著しいが、さらに高画質、長時間の映像に対応すること等を目的として、次世代光ディスクの開発が進められている。
また、現時点では、ＤＶＤに対して約5倍の容量（約２５ＧＢ）を有する、通称ブルーレイディスクの商品化が近い。そして、最初に市場に投入されるフォーマットは相変化記録方式による書き換え型（-ＲＷ）が予定されているが、２〜３年以内にＣＤ、ＤＶＤ同様に再生専用型（ＲＯＭ）、追記型（-Ｒ）というファミリーが形成されるものと予想される。
【０００３】
そこで、これらのファミリーに共通する、ブルーレイディスクに特徴的な基板構造について説明する。
図７はブルーレイディスクの構成例を示す断面図である。
この光ディスクにおいて、ピットあるいはグルーブといった信号パターンは約１．１ｍｍ厚のプラスチック基板１０に転写されている。そして、このプラスチック基板１０の信号面上に、前記ＲＯＭ型、−ＲＷ型、−Ｒ型の種類に適合した材料膜（反射膜／記録膜）１２が形成される。
ＲＯＭの場合は再生光の反射機能のみを持つ例えばＡｌ単層膜、−ＲＷの場合は相変化記録を行うために、例えばＡｌ−Ｔｉ反射膜／ＺｉＳ−ＳｉＯ２誘電体膜／Ｇｅ−Ｓｂ−Ｔｅ記録膜／ＺｉＳ−ＳｉＯ２誘電体膜で構成される複層膜、そして−Ｒの場合には、例えばシアニン系有機色素単層膜、あるいはそれに反射膜、接着膜を加えた複層膜が成膜される。
そして、このような成膜面上には、約０．１ｍｍ厚の十分平坦な表面性を有する光透過層（カバー層）１４が接着される。
なお、従来のＣＤ、ＤＶＤでは、信号面に対して反対側の平坦面から記録／再生光が入射していたが、ブルーレイディスクでは、信号面側から前記光透過層を介して入射し、これがディスク構造上の最も大きな特徴となっている。
【０００４】
ところで、今後、前記のブルーレイディスクファミリーにおいて、同一信号面上にＲＯＭと−ＲＷ、あるいはＲＯＭと−Ｒが共存したフォーマットが派生する可能性がある。
例えばＲＯＭディスクのデータ更新や追加、あるいは著作権保護といった目的で、ユーザが所有する記録／再生装置がディスクの一部領域に固有情報を追記する等の用途が考えられる。
ところが現在のディスク製造方法では、以下に述べる理由により、そのような共存フォーマットの実現が困難である。
（１）パターン最適深さの不一致
ＲＯＭ、−ＲＷ、及び−Ｒでは、ピットあるいはグルーブの最適深さが互いに異なる。
ＲＯＭの場合、最も変調度が高くなり再生信号特性が有利となるピット深さｄｒｏｍは、再生光波長λに対して、ｄｒｏｍ＝λ／４ｎ（n:基板屈折率）である。
また、ブルーレイフォーマットの再生光波長はλ＝４０５ｎｍであるから、ｎ＝１．５として、おおよそｄｒｏｍ＝６５〜７０ｎｍが最適深さとなる。
これに対して−ＲＷのグルーブ深さ最適値ｄｒｗは、各社とも２５ｎｍ以下に見出しており、前記ｄｒｏｍと大きく異なる。すなわち、２５ｎｍ以下の深さでＲＯＭを記録すると、ピットが浅すぎて変調度が殆ど得られず、ブルーレイ密度での良好な記録再生はまず不可能である。
また、前記ｄｒｗの値は、記録再生信号特性及びウォブル信号特性の規格値全てを満たそうとすると、±２〜３ｎｍのマージンしか持たないので、ＲＯＭの特性を満たす４０〜５０ｎｍの深さまで増加させることができない。
−Ｒは各社とも検討中の段階であるが、ＲＯＭ、−ＲＷとも違った深さ最適値ｄｒを持ち、またそのマージンが数ｎｍしかない可能性は高い（すなわち、有機色素膜を基板上にスピンコート塗布する製法上、グルーブが膜に埋まり易いため、その分、−ＲＷよりも深めに設計されると予想される）。
【０００５】
なお、通常のマスタリングプロセスでは、ピットあるいはグルーブ深さは、ガラス原盤上のフォトレジスト塗布厚と一致するので、同一面内のパターン深さは１つに限られてしまう。
また、フォトレジストの露光強度を弱めて、現像によるレジストの溶解をレジスト／原盤界面まで到達させずに浅溝を形成する所謂「ハーフトーンカッティング」という技術もあるが、従来より格段に高精度を要するブルーレイ密度において、ハーフトーンのパターン深さ制御が非常に困難であることと、パターン表面の荒れによる信号劣化の影響を考えると、現実的ではない。
以上述べたように、ブルーレイディスクフォーマットにおいては、同一面内の異なるフォーマットそれぞれ（特にＲＯＭと−ＲＷ）に対して最適なパターン深さを与えることが、従来より遥かに難しくなっている。
【０００６】
（２）パターン凹凸の不一致
通常のディスク作製工程において、マスタリング原盤へのパターン露光によって形成されるグルーブやピットは、基板上では凹になる。
すなわち、マスタリング原盤上のフォトレジスト薄膜が露光及び現像によって溶解した結果として凹状のピットやグルーブが形成され、その原盤パターンを転写したニッケル製マスタースタンパー（あるいは、マスタースタンパーから２回の転写を経たマスターと同じ凹凸を有するサンスタンパー）から基板が成形されると、結局基板と原盤の凹凸は一致するからである。
【０００７】
また、主にピットから構成されるＲＯＭにおいては、従来と同様に、基板上のピットは凹になる見込みである。
図８はこの場合の光ディスクの形状を示す断面図である。図示のように、ディスク基板２０上に凹状のピット２１が形成されている。
その理由は、スタンパーからプラスチック基板へ成形を行う際、ピットがスタンパー上で凸になっている方が、凹になっているよりも遥かに転写が容易だからである。
また高記録密度の微小ピットであるため、基板上では予めややオーバーサイズに形成しておき、反射膜で埋めることによって適正な大きさに戻す方が、マスタリング時のパターニングを容易にする事情も加えられる（例えば特許文献２参照）。
これに対して、−ＲＷフォーマットでは、通常と異なり、図９に示すように、グルーブ３１が基板３０上で凸となることが決定している。これは、信号品質的に、信号記録溝は記録/再生光スポットに近い側の方が有利であり、さらにアドレスをウォブル方式で記録するため、信号記録溝が原盤露光部分（グルーブ）である必要が生じたからである。
そして、このように通常と反転した基板構造を作製するために、−ＲＷメディアの基板成形には、マスタースタンパーからの転写によって凹凸を反転させたマザースタンパーを用いている（例えば特許文献３参照）。
【特許文献１】特開平３−８３２２６号公報
【特許文献２】特開平１０−３０２３２１号公報
【特許文献３】特開平１０−１０６０４７号公報
【発明の開示】
【発明が解決しようとする課題】
【０００８】
以上のように、従来のブルーレイディスクにおいては、上述した（１）パターン最適深さの不一致、及び（２）パターン凹凸の不一致という２つの大きな理由から、同一信号面内にブルーレイディスクファミリー内の異なるフォーマット（ＲＯＭ／−ＲＷ、またはＲＯＭ／−Ｒ）が共存させることは非常に困難なこととなっていた。
【０００９】
ところで、フォーマットの共存機能を実現する方法として最も容易に考えられるのは、２層構造を採用して上層と下層でフォーマットを分割してしまい、それぞれに最適な基板を採用する方法である。
この場合、上層（記録/再生スポットに近い層）をＲＯＭ、下層を−ＲＷまたは−Ｒの記録可能メディアという構造にすれば良い。
図１０はこのような２層構造を採用したディスクの例であり、基板４０の上層領域のうち、下層に−ＲＷ／−Ｒ記録層４２を設けるとともに、上層にＲＯＭ記録層４４を設け、その上層にカバー層４６が形成されている。なお、上層のＲＯＭ記録層４４は半透明膜にする必要があるが、反射率が低下しても信号への影響は殆ど無いことが実験により確認されている。
また、下層の−ＲＷ／−Ｒ記録層４２側は透過率制御を考慮する必要が無くなるので、単層と同じ膜設計を行うことができる。
このようにＲＯＭ側も、−ＲＷ／−Ｒ側も技術的難易度は単層メディアとさほど変わらず、実用性に問題は無いと思われる。
しかし、追記情報のデータ量がさほど大きくない場合には、複雑でコストのかかる２層プロセスを用いてまで全面約２５ＧＢの容量を与えることは得策とは言えず、やはり単層構造による実現が望ましい。
【００１０】
そこで本発明は、ブルーレイディスクのような同一記録面内に再生専用領域と記録可能領域を設けることが困難なディスクにおいても単層構造で安価な方法で再生専用領域と記録可能領域を設けることが可能な光ディスク及び光ディスク記録再生装置を提供することを目的とする。
【課題を解決するための手段】
【００１１】
上述の目的を達成するため、本発明の光ディスクは、ディスク基板の信号面にピット列よりなる再生専用の記録トラックと、前記記録トラックのピット列接線方向に挿入された凹凸の無いミラー部とを設け、前記信号面の上層に前記ミラー部への情報記録を行うための記録膜を設けたことを特徴とする。
また本発明の光ディスク記録再生装置は、光ディスクに対して情報の記録を行う記録部と再生を行う再生部とを有し、前記光ディスクは、ディスク基板の信号面にピット列よりなる再生専用の記録トラックと、前記記録トラックのピット列接線方向に挿入された凹凸の無いミラー部とを設け、前記信号面の上層に前記ミラー部への情報記録を行うための記録膜を設けて構成され、前記記録部は前記ミラー部に情報を記録し、前記再生部は前記記録トラック及びミラー部から情報を再生することを特徴とする。
【発明の効果】
【００１２】
本発明の光ディスクによれば、ディスク基板の信号面にピット列よりなる再生専用の記録トラックと、記録トラックのピット列接線方向に挿入された凹凸の無いミラー部とを設け、信号面の上層にミラー部への情報記録を行うための記録膜を設けた構造としたので、例えばブルーレイディスクのような同一記録面内に再生専用領域と記録可能領域を設けることが困難なディスクにおいても単層構造で安価な方法で再生専用領域と記録可能領域を設けることが可能となる効果がある。
また、本発明の光ディスク記録再生装置では、上述した記録トラックの途中にミラー部を設けた光ディスクを用いて、光ディスクのミラー部に情報を記録し、光ディスクの記録トラック及びミラー部から情報を再生するようにしたことから、安価な構成の記録再生兼用の光ディスクによる情報の記録、再生が可能となり、例えばブルーレイディスクのような大容量ディスクを用いた安価な記録再生システムを実現できる効果がある。
【発明を実施するための最良の形態】
【００１３】
本発明の実施の形態による光ディスクは、ＲＯＭのピット列を中断して、１回の中断につき１ｍｍ程度の短いミラー部（凹凸パターンの無い平坦面）をディスク上に複数箇所形成し、−ＲＷまたは−Ｒフォーマットの追記情報は前記ミラー面上に記録するようにしたものである。例えば、ＣＤサイズに２０ＧＢ以上の大容量を有するブルーレイディスクファミリー（ＲＯＭ/−ＲＷ/−Ｒ）の市場登場が近いが、単層同一面内に再生専用ＲＯＭ領域と記録可能（−ＲＷまたは−Ｒ）領域が共存する所謂“ハイブリッドタイプ”のメディアについては、ピットとグルーブの最適深さの極端な違い、凹凸の反転により基板パターニングが非常に難しく実現が困難である。そこで、−ＲＷまたは−Ｒタイプの成膜がなされたＲＯＭディスクのピット列中にミラー部を配置し、情報の記録はこのミラー部に行うようにした。
このミラー部は、トラッキングサーボをオフにしていても記録／再生スポットがトラック上を正確にトレースできるように、接線方向に１ｍｍ程度の非常に短い距離とするが、記録面内に複数箇所設置することによって必要容量を確保することができる。
【実施例１】
【００１４】
図１は本発明の実施例による光ディスクの構成を示す説明図であり、図１（Ａ）は本実施例の光ディスクの概要を示し、図１（Ｂ）は本実施例の光ディスクの記録トラックの構造を示している。
図示のように、本実施例の光ディスク１００は、片側の信号面にＲＯＭ領域を構成する記録トラック１０１が形成されるとともに、この記録トラック１０１のピット列１０２を接線方向に中断したミラー部１０３が形成されたものである。
このミラー部１０３は、例えば図２に示すような配置で、光ディスク１００の記録再生領域上に分散して配置される。そして、このミラー部１０３の距離は、トラッキングサーボをかけない状態でもスポットがトラック上のピット列を継続してトレースできる範囲内とするために、ブルーレイディスクでは１箇所につき１ｍｍ程度になる。すなわち、ブルーレイディスクの規格では、再生線速度ｖ＝約５ｍ／ｓに対して、ラジアル方向のトラッキングが追従できる限界周波数ｆ＝３．６ｋＨｚである。よってｖ／ｆ＝１．４ｍｍ以下の距離については、例えトラッキング信号が乱れてもトラック上をトレースし続けることができる。
したがって、１つのミラー部１０３の長さは１ｍｍ程度となるが、断続的に複数箇所のミラー部１０３を置くことで記録容量を確保することが可能になる。
【００１５】
例えば半径２０ｍｍから６０ｍｍの範囲で長さ１ｍｍのミラー部１０３が周内に１５箇所あれば、全体容量の６％を得ることができ、これは全容量２５ＧＢのブルーレイディスクの場合１．５ＧＢに相当する。
もし、３ＧＢの記録可能容量を得るならば周内に３０箇所、逆に０．５ＧＢで十分であれば周内に５箇所と、追記するデータ容量とＲＯＭエリアに必要な容量とのバランスでミラー部１０３の適切な配置を決定すれば良い。
なお、成膜については、記録型メディア（−ＲＷ、または−Ｒ）に合わせる。また、基本的にＲＯＭの場合には最低限必要な反射光量が得られれば良いので、−ＲＷや−Ｒの成膜が為されていても構わない。
【００１６】
以上のような本実施例の光ディスクでは、以下のような利点を得ることが可能である。
（１）追記部分にグルーブ構造を採用しないので、グルーブとＲＯＭピット列の凹凸を反転させなければなければならない、という前述の課題が消滅する。
なお、ブルーレイディスク−ＲＷにおけるグルーブの役割はトラッキング信号を得ること、及びウォブリングによってアドレス等の付帯情報を与えることにあり、相変化信号の記録/再生にあたっては本来必要ないものである。むしろグルーブの存在によってメディア反射率が低下し、信号キャリアレベルの低減をもたらす、あるいはグルーブ側壁の荒れに起因してノイズレベルが増加する、といった悪影響をもたらしていると言っても良い。
−ＲＷのグルーブ深さが２５ｎｍ以下と非常に薄い理由は、トラッキング信号が必要量取れる範囲内で、可能な限りグルーブを浅くしてミラー面に近づけることを試みているからであり、本実施例におけるミラー面記録は理想的な記録方式であると言い得るものである。また−Ｒについても、同様の考察からミラー面記録が可能であると考えられる。
（２）再生領域と記録領域が同一トラックにあるので、再生を中断することなく情報を同時記録できる。またこれを利用して、例えば−ＲＷタイプの成膜がされていれば、ディスクの再生情報（再生回数、再生日時、再生機情報等）をミラー部で区切られたブロック毎に記録することができるので、著作権保護に利用することも考えられる。
（３）ディスク作製について、基板はＲＯＭと同じプロセスで作製でき、成膜は−ＲＷ／−Ｒと同じ材料で良い。よって既存の設備をそのまま使用して作製できるので、コストが増加しない。
なお、本発明はブルーレイディスクフォーマットへの適用に限ったものでは無いが、従来のフォーマットと比較して遥かに大容量のブルーディディスクでは、ディスクの数％程度の領域でも実用的な記録容量が確保できるので、特に有効活用することができる。
【００１７】
以下、本実施例のさらに具体的な構成及び製造方法について説明する。
図３〜図５は本実施例の光ディスクの製造工程を示す図である。
なお、本実施例の光ディスクは、以下の手順（１）〜（６）によって作製されるが、このうち手順（２）で露光するパターン内容、及び手順（５）で反射膜だけでなく記録可能膜を形成する点以外、マスタリング方法は通常のブルーレイＲＯＭディスクと変わるところは無い。
（１）マスタリング原盤の作製：
まず、図３（Ａ）において、十分平坦に研磨したガラス原盤２００に、ＲＯＭのピット深さｄｒｏｍに相当するフォトレジスト２０１をスピンコート法により塗布する。
（２）パターン露光、及び現像：
次に、図３（Ｂ）において、記録光２０２をパターン記録信号に基づいてＯＮ／ＯＦＦの変調を行った後に、高開口数（ＮＡ≒０．９）の対物レンズ２０３によって原盤フォトレジスト上に集光しパターンの潜像を形成する。
次に、原盤２００を露光装置のターンテーブル上で回転させながら、一回転あたり等距離で記録光スポットを半径方向に移動させることによって、一定のトラックピッチを持つスパイラル状のパターンが形成される。
なお、ブルーレイディスクの微細パターンを形成するにあたっては、記録光源として波長２５０ｎｍ付近の遠紫外線レーザ、もしくは電子線が適している。また、ＲＯＭのピット列については、ピット部分で記録光ＯＮ、その他の部分（ランド）で記録光ＯＦＦという変調を行う。また情報記録用ミラー部分は、記録光ＯＦＦにして露光を行わない。
このように作られた記録信号が露光装置の変調器へ入力される。
露光終了後、図３（Ｃ）において、ノズル装置２０４によってアルカリ現像液を吐出して現像を行うと露光部分が溶解し、フォトレジスト２０１上に凹凸パターン２０５が形成される。
【００１８】
（３）マスタースタンパー作製：
次に、図４（Ｄ）において、レジストパターン２０１上に無電界メッキまたはスパッタによりニッケル薄膜２０６を付着させ、導通化処理を行う。その後、電気メッキ法により３００μｍほどニッケルを堆積させ、原盤を剥離すると、レジストパターンが転写されたマスタースタンパー２０７が完成する。このマスタースタンパー２０７から電気メッキにより再度転写を行うと、マザースタンパーが取れ、マザースタンパーから同様に転写を行うと、マスターとパターンの凹凸を含めて完全複製のサンスタンパーが取れる。マスタースタンパーから複数枚のサンスタンパーが作製できるので、製造ではサンスタンパーを使用することが多い。
（４）プラスチック基板成形：
次に、図４（Ｅ）において、マスタースタンパーまたはサンスタンパー２０７から射出成形法によって、プラスチック基板（ポリカーボネイトが代表的材料）２０８へパターンの転写を行う。なお、基板厚は、ブルーレイディスクファミリーの場合１．１ｍｍである。基板２０８に形成されたパターンは、原盤上のレジストパターンと同じ凹凸なので、ＲＯＭのピットは凹になっている。
【００１９】
（５）記録可能膜成膜：
次に、−ＲＷの場合、図５（Ｆ）において、例えば基板２０８側からＡｇ反射膜２０９／ＺｉＳ−ＳｉＯ２誘電体膜２１０／Ｇｅ−Ｓｂ−Ｔｅ記録膜２１１／ＺｉＳ−ＳｉＯ２誘電体膜２１２、の順番で成膜を行う。そして、この成膜後、レーザー光照射による熱処理で膜を全面結晶化する初期化工程が必要となる。
−Ｒの膜構成は現在開発中だが、Ａｇ反射膜上にスピンコート法によって有機色素材料を塗布する形が有力と思われる。それぞれの専用メディアと異なりミラー面上に記録を行う点、及び十分良好なＲＯＭの再生信号特性を得ねばならないという点から別途成膜厚の最適化がなされねばならない。
【００２０】
（６）０．１ｔ−カバー層形成：
次に、前記（５）で成膜された信号面上に、図５（Ｇ）において、例えば８０μｍ厚のプラスチックシート２１３を、２０μｍ厚の感圧性粘着シート２１４または紫外線硬化樹脂等を介して接着し、合計で１００μｍ（±２μｍ）のカバー層とする。
なお、前記（２）で描画するパターンについて、ミラー部の前後にはピット列による「記録開始情報パターンＰＢ」及び「記録終了情報パターンＰＥ」を配置する。そして、「記録開始情報パターンＰＢ」にはアドレス情報、記録用ミラー長情報等を記録し、これを検出することによって、記録/再生機はスポット発光強度及びパターンの選択、あるいはトラッキング動作、それらのタイミングといったミラー部における後述の挙動を決定することができる。また、「記録終了情報パターンＰＥ」は、情報記録用ミラー部を通過したスポットが再び通常ＲＯＭ領域を安定して再生するための遷移区間として使用する。
【００２１】
次に、本実施例の光ディスク記録再生装置による光ディスクの情報記録／再生方法について説明する。
図６は本実施例の光ディスク記録再生装置による情報記録／再生方法を説明するタイミングチャートである。
本実施例では、ＲＯＭのピット列を再生しながら、前記「記録開始情報パターンＰＢ」及び、「記録終了情報パターンＰＥ」に基づき、以下の手順で記録/再生を行う。
（１）まず、トラッキングについては、ＲＯＭ領域再生時はピット列から得られるトラッキングエラー信号より通常通りのトラッキングを行うが、「記録開始情報パターンＰＢ」を検出するとトラッキング動作を中止する。
その後、記録／再生スポットは記録用ミラー領域に到達するが、１ｍｍ程度以下の距離であればトラッキングを行わなくてもピット列の延長線上をトレースし、再びＲＯＭ領域に入った時に同一トラックに復帰することができる。
指定された時間のトラッキングＯＦＦ状態が終了すると、再びトラッキング動作を開始し、通常再生モードになる（図６（Ｂ））。「記録終了情報パターンＰＥ」を再生中にトラッキングが安定して、その後のＲＯＭ領域を再生する。
（２）記録/再生レーザ光強度については、ＲＯＭ領域再生時は再生パワー：Ｐｒで発光し、記録指令が与えられた場合には、記録開始情報パターンＰＢを検出すると記録パワー：Ｐｗで変調される（なお、一般的に、記録膜構成に応じて最適化された複雑な記録波形を使用する）。
ここで指定された時間の記録モードが終了すると、再び再生パワー：Ｐｒに復帰し、「記録終了情報パターンＰＥ」の再生中に安定化する。また、記録指令が与えられない時には、常に一定の再生パワー：Prで発光する（図６（Ｃ））。
（３）再生時にＲＯＭの信号と、ミラー部に記録した−ＲＷまたは−Ｒの信号の反射率、アシンメトリーの不一致から、それぞれ別々のイコライザーを適用することが考えられる。この場合も、イコライザーの切り替えのタイミングを、「記録開始情報パターンＰＢ」及び「記録終了情報パターンＰＥ」の検出に基づいて行うことができる（図６（Ｄ））。
以上のような手順により、本発明に基づく記録可能領域を有するＲＯＭディスクを実現することができる。
【図面の簡単な説明】
【００２２】
【図１】本発明の実施例による光ディスクの構成を示す説明図である。
【図２】図１に示す光ディスクの記録トラックとミラー部との配置を示す説明図である。
【図３】図１に示す光ディスクの製造工程を示す斜視図である。
【図４】図１に示す光ディスクの製造工程を示す断面図である。
【図５】図１に示す光ディスクの製造工程を示す断面図である。
【図６】図１に示す光ディスクの記録再生動作を示すタイミングチャートである。
【図７】従来の光ディスクの構造を示す断面図である。
【図８】従来のＲＯＭフォーマットディスクの構造を示す断面図である。
【図９】従来の−ＲＷフォーマットディスクの構造を示す断面図である。
【図１０】従来の２層ディスクの構造を示す断面図である。
【符号の説明】
【００２３】
１００……光ディスク、１０１……記録トラック、１０２……ピット列、１０３……ミラー部。
【図１】
2005216365.tif 000003
【図２】
2005216365.tif 000004
【図３】
2005216365.tif 000005
【図４】
2005216365.tif 000006
【図５】
2005216365.tif 000007
【図６】
2005216365.tif 000008
【図７】
2005216365.tif 000009
【図８】
2005216365.tif 000010
【図９】
2005216365.tif 000011
【図１０】
2005216365.tif 000012